(57)【要約】【課題】簡単に施錠並びに解錠状態にできる引戸用ロック具を提案する。【解決手段】戸枠の縦枠に形成した切欠部に嵌め込むように固定されると共に、一端面を基準にして出没する係合スライダーを備えた取り付け基体と、戸先の切欠部に嵌め込むように固定されると共に、引戸の閉鎖時に一端面と対向する係合凹所を有する受け部材とで引戸用ロック具を構成し、解錠状態から施錠状態への移行時、一端面と交差する取り付け基体の正面側に位置する係合スライダーの操作片を水平方向に操作すると、係合スライダーは取り付け基体の一端面から突出して、その突出先端部が係合凹所に入り込むこと。【選択図】図１０
2008150883.tif 000002
【特許請求の範囲】
【請求項１】
戸枠の縦枠に形成した切欠部に嵌め込むように固定されると共に、一端面を基準にして出没する係合スライダーを備えたケース状の取り付け基体と、一方、戸先の切欠部に嵌め込むように固定されると共に、引戸の閉鎖時に前記一端面と対向する係合凹所を有する受け部材とで引戸用ロック具を構成し、解錠状態から施錠状態への移行時、前記一端面と交差する取り付け基体の正面側に位置する係合スライダーの操作片を水平方向に操作すると、該係合スライダーは前記取り付け基体の一端面から突出して、その突出先端部が前記係合凹所に入り込むことを特徴とする引戸用ロック具。
【請求項２】
請求項１に於いて、係合スライダーは、取り付け基体の内部のレール部にスライド嵌合する嵌合部を有することを特徴とする引戸用ロック具。
【請求項３】
請求項１に於いて、取り付け基体には、係合スライダーを常時内部方向に付勢する戻しバネが配設されていることを特徴とする引戸用ロック具。
【請求項４】
請求項１または請求項３に於いて、係合スライダーには、解錠状態になった時に取り付け基体の被係合部に係合する係合手段が設けられていることを特徴とする引戸用ロック具。
【請求項５】
請求項１に於いて、受け部材５０の凹所内に該凹所５１を複数に区分けする仕切り片５２を設け、引戸の閉鎖時、係合スライダーと対向する第１凹所５１ａは、係合スライダー４を受止める係止用として使用され、一方、他方の露呈する第２凹所５１ｂは引手用として使用されることを特徴とする引戸用ロック具。
【発明の詳細な説明】
【技術分野】
【０００１】
本発明は、引戸用ロック具に関する。
【背景技術】
【０００２】
特許文献１や特許文献２に記載されているように、普通一般の引戸錠としての引戸用ロック具は、（ａ）引戸の戸先、或いは下框、或いはまた上框に錠箱内装の鎌片、デッドボルト等の係合片を設け、一方、前記係合片が係脱する凹所を有する受け部材は、固定部材である戸枠の縦枠や下枠或いは上枠に設けている。
【０００３】
また、普通一般の引戸錠は、（ｂ）引戸に設けられたシリンダ錠の鍵穴に合鍵を差込み、該合鍵を操作することによって、またはサムターンを操作することによって、係合片が固定部材の受け部材に対して出没する。さらに、普通一般の引戸錠は、（ｃ）閉戸時には引戸が戸枠の縦枠に衝突する。
【０００４】
ところで、現在、合鍵を回転操作しないで、指で操作片を摘み、かつ、簡単に操作して施錠状態又は解錠状態にできる（いわゆる操作性が良い）引戸用ロック具の出現が要望されている。また、普通一般の引戸以外の引戸に対象を広げるために、普通一般の引戸錠の有する（ａ）ないし（ｃ）の特質に拘泥しない新規な引戸錠の出現も要望されている。
【特許文献１】特開公開２００５−１２０６０６号公報
【特許文献２】特開公開平１０−１０２８５５号公報
【発明の開示】
【発明が解決しようとする課題】
【０００５】
本発明の第１の目的は、ロック具の操作性の向上を図り、指で操作片を摘み、かつ、簡単に施錠状態及び解錠状態にすることができることである。第２の目的は、係合スライダーを安定的に水平移動させることができることである。第３の目的は、従来の引戸錠とは違う、いわば逆転の発想により、固定部材としての戸枠に取り付け基体を取り付けると共に、該取り付け基体の方に施錠片的な機能を持たせ、一方、可動体としての引戸の方に受け部材を取り付けることにより、上げ下げ型シャッターや吊り下げ型ランナー方式の引戸錠として利用することができることである。その他の目的は、解錠時、操作片を少し操作すると、係合スライダーが自動的に収納位置へと移行すること、解錠状態に於いて、係合スライダーの先端部が突出しないように保持することができること、取り付け基体の内部に各構成部材を合理的に組み込むことなどである（内部スペースの有効的活用）。
【課題を解決するための手段】
【０００６】
本発明の引戸用ロック具は、戸枠の縦枠に形成した切欠部に嵌め込むように固定されると共に、一端面を基準にして出没する係合スライダーを備えたケース状の取り付け基体と、一方、戸先の切欠部に嵌め込むように固定されると共に、引戸の閉鎖時に前記一端面と対向する係合凹所を有する受け部材とで引戸用ロック具を構成し、解錠状態から施錠状態への移行時、前記一端面と交差する取り付け基体の正面側に位置する係合スライダーの操作片を水平方向に操作すると、該係合スライダーは前記取り付け基体の一端面から突出して、その突出先端部が前記係合凹所に入り込むことを特徴とする。
【発明の効果】
【０００７】
（１）ロック具の操作性の向上を図ることができる。例えば係合スライダーの操作片に指をあてがい、そのまま係合スライダーを押圧操作するだけで良い。
もちろん、操作片を指で摘んでそのまま水平方向へ操作するだけでよい。
（２）係合スライダーは安定的に水平移動する。
（３）上げ下げ型シャッター方式や吊り下げ型ランナー方式の引戸錠として利用することができる。この場合、受け部材は幅広の係合凹所を有することから、チリ寸法に対応して、ロック具の係合片を係合凹所に入れることができる。
（３）係合手段と共に戻しバネが構成要件である場合には、解錠時、操作片を少し操作すると、係合スライダーが自動的に収納位置へと移動する。
（４）実施例によっては、解錠状態に於いて、係合スライダーの先端部が突出しないように保持することができる、取り付け基体に各構成部材をコンパクトに収めることができる等の利点もある。
【発明を実施するための最良の形態】
【０００８】
以下、図１乃至図１４は、本発明の最良の形態の第１実施例である。
【０００９】
（１）ロック具１−取付け基体２と受け部材５０
図１はロック具１の取付け基体２と受け部材５０をそれぞれ示す斜視図である。図１（ａ）は、ケース状の取付け基体２であり、この取付け基体２は、戸枠３１の縦枠３１ａに形成した切欠部３３に嵌め込むように固定されると共に、一端面２ａを基準にして出没する係合スライダー４を備えている。その場合には、戸枠３１の縦枠３１ａの中央部（中央部寄りの部位も含む）の外面に形成された縦長切欠部３３に嵌め込まれる。
【００１０】
一方、図１（ｂ）は、取付け基体２とセットで用いられる金属製の受け部材５０で、この受け部材５０の少なくとも一側面には、前記取付け基体２に内装されている係合スライダー４の突出先端部４ａと係合可能な係合凹所５１が形成されている。
【００１１】
受け部材５０は、引戸３２の戸先に形成された縦長切欠部３４に嵌め込むように固定される。本実施例では、固定部材（例えば戸枠）３１側の係合スライダー４を内装する取付け基体２と、引戸３２の閉鎖時に取付け基体２の一端面２ａと対向する係合凹所５１を有する可動体側の受け部材５０との組み合わせにより引戸用ロック具１を構成する。以下、本発明の構成要件について順次説明する。
【００１２】
（２）受け部材５０
まず、説明の便宜上、図１乃至図３を参照にして、受け部材５０から説明する。図１（ｂ）で示すように、受け部材５０は、金属製の板をプレスで折り曲げ形成して、例えば外観上、長箱状に形成する。この受け部材５０の新規事項を指摘すれば次のとおりである。
【００１３】
まず、戸枠側の取付け基体２と組み合わせて用いられること。付言すると、引戸３２の戸先の切欠部３４に係合凹所５１を有する受け部材５０を取り付け、一方、戸枠３１の縦枠の切欠部３３に取付け基体２を取り付けて、「引戸用ロック具１」として使用することができること。
【００１４】
次に、引戸の閉鎖時、受け部材５０の係合凹所５１と取付け基体２の係合スライダー４が対向し、施錠状態にする場合には、操作片５を指で摘んで、又は操作片５に指をあてがって水平方向へ操作すると、係合スライダー４は前記凹所５１側へと前進し、その突出外端部４ａが係合凹所５１内に入り込むこと。
【００１５】
次に、受け部材５０の係合凹所５１内に該係合凹所５１を複数（例えば二分）に区分けする仕切り片５２を設け、引戸の閉鎖時、取付け基体２の係合スライダー４と対向する第１凹所５１ａは、係合スライダー４を受止める係止用として使用され、一方、他方の露呈する第２凹所５１ｂは引手用として使用されること。
【００１６】
そして、前記仕切り片５２は、図２で示すように、縦方向の柱状或いは棒状体であり、引戸の閉鎖時、該棒状体を押し込むことが可能である。本実施例では、仕切り片５２は、上下端部に螺合部（例えばメネジ）５２ａを有しており、受け部材５０の上下の壁５０ａに形成した貫通小孔５３及び複数個の固着具５４を介してケース状受け部材５０の凹所５１内を二分するように螺着される。
【００１７】
符号５５は、第１凹所５１ａを形成する内壁面で、この内壁面５５は係合スライダー２のフラット形状、鉤形状、ラッチ形状等の突出先端部４ａを受止める係止用として使用される。一方、符号５６は前記内壁面５５と対向する第２凹所５１ｂの内壁面で、この内壁面５６は引戸３２を開ける際の引手用として利用される。その他の事項は割愛する。
【００１８】
（３）取付け基体２の基本的構成
まず、図１、図４乃至図１４を参照にして取付け基体２の基本的構成を説明する。取付け基体２は、ケース状取り付け基体２と、この取り付け基体２の収納部分３に水平動自在に設けられ、かつ、取り付け基体２の一端面２ａを基準にして出没可能な係合スライダー４と、前記一端面２ａと交差する取り付け基体２の正面側２ｂに位置する操作片５とから成り、前記操作片５は複数本の固着具６を介して前記係合スライダー４の板状中央部の正面壁２０ａに固定されている。操作片５は、摘み部分５ａと取付け基端部５ｂとから構成され、複数個の固着具用貫通孔８を有している。
【００１９】
ここで、特に図５と図９を参照にして係合スライダー４の構成を多少説明すると、係合スライダー４は、その上下端部側に取り付け基体２のレール部１３にスライド嵌合する一対の嵌合部２４を有すると共に、該嵌合部２４に連続する板状中央部２０の正面壁２０ａの後端部寄りの部位には、固着具用の複数個のメネジ７が形成されている。なお、板状中央部２０は正面向きの凹所状に形成され、この凹所内に操作片５の取付け基端部５ｂ側が位置付けられている。
【００２０】
また、係合スライダー４の上下端部（後述する足部２１ａ）には、少なくとも施錠状態並びに解錠状態の時に取り付け基体２の被係合部１６に係合する係合手段１７が設けられていると共に、該係合スライダー４を常時収納部分の方向に付勢する上下一対の戻しバネ１５が配設されている。
【００２１】
上記構成に於いて、操作片５を所定量水平方向へと操作すると、係合スライダー４は取り付基体２のレール部１３に案内されて、取り付基体２の一端面２ａから突出する。その突出先端部４ａが、引戸の受け部材５０の凹所５１に入り込むと施錠状態である。一方、操作片５を逆方向へと所定量水平操作すると、係合スライダー４は同様に取り付基体２のレール部１３に案内されて、取り付基体２の収納部分３へと戻る。
【００２２】
（４）取付け基体２の具体的構成
取付け基体２の具体的構成を説明する。なお、一部の符号は省略している。まず、図４は、施錠状態における取付け基体２の正面図である。この正面図を基準にすると、２ａは取り付け基体２の右側の一端面（ここでは「先端面」とする）、２ｂは一端面２ａと交差する正面、２ｃは左側の他端面（ここでは「後端面」とする）、２ｄは上面、２ｅは下面である。したがって、取り付け基体２の裏側が背面２ｆとなる。
【００２３】
本実施例の取り付け基体２は、縦長ケース状に形成され、かつ、先後の端面２ａ、２ｃがそれぞれ開口するケース本体１０と、このケース本体１０の後端面２ｃの開口を閉鎖する閉鎖板１１とから成り、前記ケース本体１０の正面２ｂの中央部には、図５で示すように、コ字形状の収納部分３と連通する断面段差状の矩形開口１２が形成され、この矩形開口１２内に縦長の操作片５の全体が収まっていると共に、矩形開口１２の奥部に収納部分３内に突出する上下の外壁面にレール部１３を形成されている。
【００２４】
次に、図７は、取付け基体２の正面から見た縦断面の概略説明図である。この図７は解錠状態における取付け基体２の内部構造を示す。取付け基体２の収納部分３を構成する上端部と下端部には、段差面を有するバネ収納部が形成され、これらのバネ収納部には、係合スライダー４を常時内部方向に付勢する上下一組の戻しバネ１５、１５が配設されている。
【００２５】
そして、横に配設された戻しバネ１５の先端部は、例えばケース本体１０のバネ端支持部に支持され、一方、戻しバネ１５の後端部は、係合スライダー４の横向き上下脚状部分２１の足部２１ａに小突起状に設けたバネ端支持部２５にそれぞれ支持されている（図９参照）。
【００２６】
さらに、本実施例では、戻しバネ１５を独立項の限定要件とした場合の付加的事項として、ケース本体１０の収納部分３を形成する上方の内壁面並びに下方の内壁面に所要間隔を有して前後一組の被係合部（凹所溝、貫通孔等）１６がそれぞれ形成されている。
付言すると、前側に位置する被係合部１６には、図８で示すように、係合スライダー４が前進して、取付け基体２が施錠状態になった場合に於いて、係合スライダー４の脚部２１に設けた係合手段（例えばボールプランジャー具）  １７の先端部１７ａが圧接係合する。
【００２７】
一方、後側に位置する被係合部１６には、図７で示すように、係合スライダー４が内部に後退して、取付け基体２が解錠状態になった場合に於いて、前記係合手段１７の先端部１７ａが圧接係合する。加えて、ケース本体１０には、その四隅に取り付け孔１８が形成されている。その他の事項の説明は割愛する。
【００２８】
（５）係合スライダー４の具体的構成
ここでは、図９を参照にして、さらに係合スライダー４の具体的構成を説明する。係合スライダー４は、板状中央部２０と、この中央部２０に上下の部位に突出状態に連設する上下脚部２１とから成る。
【００２９】
しかして、上下の脚部２１の対向内壁面には、ケース本体１０の上下のレール部分（案内部分）１３にそれぞれスライド嵌合（係合）するする端面弧状の嵌合部２４が形成されている。また、前述したように、上下の脚部２１の足部２１ａには、垂直長孔を介して上下一対の係合手段１７がそれぞれ固定的に取り付けられている。また、足部２１ａの突起部分の垂直面には、上下一対のバネ端支持部２５が突設されている。
【００３０】
（６）引戸用ロック具１−引戸錠
本発明の引戸用ロック具（引戸錠）１の目的は、例えば戸枠の縦枠や下枠に取付け基体２を取り付けると共に、該取付け基体２の方にデッド或いは鎌片的な機能を持たせ、一方、引戸の方に受け部材５０を取り付けることにより、上げ下げ型シャッター方式や吊り下げ型ランナー方式の引戸錠として利用することである。
【００３１】
そこで、図１０乃至図１４を参照にして、ロック具１を利用した引戸錠を説明する。これらの図に於いて、３１は戸枠、３２は吊り下げ型ランナー方式の引戸（引戸の一種）、２は戸枠３１の縦枠３１ａの形成した切欠部分３３に固定的に嵌め込まれた取付け基体、一方、５０は戸枠３１の外壁面（図面上、向こう側の壁面）に対向状態となる（例えば戸先が戸枠３１にぶつからない）引戸３２の戸先の切欠部分３４に固定的に嵌め込まれた受け部材５０である。受け部材５０の凹所５１は、戸枠３１の内壁面（図面上、手前側）の方に見える。
【００３２】
このように、本発明の引戸用ロック具１は、引戸３２の戸先に凹所５１を有する受け部材５０を取り付け、一方、戸枠３１の縦枠に取付け基体２を取り付けることにより、引戸錠としての機能を発揮する。
【００３３】
（７）ロック具１を施錠状態にする場合
まず、図１０、引戸３２の閉鎖時、受け部材５０の凹所５１と取付け基体２の一端面２ａ（係合スライダー４）が対向し、かつ、操作片５を指で水平方向へと操作した結果、施錠状態となった場合を示す。
【００３４】
本発明の基本的構成で説明したように、操作片５水平方向へと操作すると、係合スライダー４は取り付基体２のレール部１３に案内されて、取り付基体２の一端面２ａから突出する。その突出先端部４ａが、引戸３２の受け部材５０の凹所５１に入り込むと施錠状態となる。
【００３５】
本実施例では、係合スライダー４は、取り付基体２に形成した被係合部１６と係合する係合手段１７を備えているので、完全施錠時、前記係合手段１７は取り付基体２の被係合部１６に係合する。
【００３６】
図１１乃至図１４は、引戸３２を施錠状態にする場合の手順を示したものである。まず、図１１は取付け基体２が解錠状態に於いて、引戸３２を矢印Ａ方向へ閉めようとしている中途状態を示す。
【００３７】
取付け基体２が解錠状態の場合には、操作片５は、図４の左側（実線の箇所）に位置している。また、係合スライダー４の突出先端部４ａは、収納部分３に位置している。つまり、係合スライダー４は取付け基体２の内部に完全に収まっている。
【００３８】
次に、図１２は引戸３２を閉めた結果、引戸３２の戸先が戸枠３１の縦枠３１ａの内壁面に対向するように位置した状態である。この時、引戸を閉めた者は、受け部材５０の第１凹所５１ａを取付け基体２の係合スライダー４に対向させる必要がある。もし、引戸３２が所望の閉鎖位置に停止していないときは、受け部材５０の仕切り片５２を手で押し込むようにする。
【００３９】
図１２で示すように受け部材５０の第１凹所５１ａと取付け基体２の係合スライダー２が対向した場合には、操作片５を摘み、図４で示す仮想線の位置までそのまま水平移動させる。
【００４０】
図１３は、解錠状態から施錠状態へと移行する中途状態を示す。また、図１４は施錠状態を示す。施錠状態のときは、係合スライダー４の突出外端部４ａが受け部材５０の第１凹所５１ａ内に入り込む。したがって、引戸３２を受け部材５０の露呈する第２凹所５１ｂを利用して自由に開くことができない。
【００４１】
（８）ロック具１を解錠状態にする場合
操作片５を逆方向へと操作すると、係合スライダー４は同様に取り付基体２のレール部１３に案内されて、取り付基体２の収納部分３へと戻る。本実施例では、取り付基体２の収納部分３に単数又は複数の戻しバネ１５を内装しているので、係合スライダー４は戻しバネ１５のバネ力を利用して初期の解錠位置へと戻る。
【００４２】
本実施例では、解錠状態に於いても、係合スライダー４は、係合手段１７を介して取り付け基体２の被係合部１６に係合する。したがって、引戸３２が開放中に係合スライダー４の先端部が戸枠の外壁面或いは取り付け基体の一端面２ａが突出しないので、邪魔になることがない。なお、ロック具１を施錠状態にする場合とは逆の態様となる。
【実施例】
【００４３】
発明の実施の形態で示した実施例に於いて、受け部材の凹所５１は、少なくとも一側面に設けられているが、他側面（向こう側）にも設けても良い。また、特に図示しないが、係合スライダー４の形状は任意に設計変更することができる。例えば係合スライダー４の突出先端部４ａの正面側は、図９で示すように、弧状に形成して、いわゆるラッチ的機能を持たせているが、突出先端部４ａの向こう側の面（背面側の係合面）が、図１９で示したように受け部材５０の第１凹所５１ａの内壁面５５に当たればよいことから、必ずしもラッチ的機能を持たせる必要はなく、普通一般のデッドボルトの形状にしても良い（角型、棒状型など）。
【００４４】
次に、図１５乃至図１９に示す第２実施例について説明する。なお、第１実施例と同一の部分には同一又は同様の符号を付して重複する説明を省略する。
【００４５】
第２実施例に於いて、第１実施例と主に異なる点は、（ａ）ロック具１Ａの係合スライダー４Ａの構成、（ｂ）取付け基板２Ａの内部構成、（ｃ）取付け基板２Ａのケース本体１０の正面側の壁と操作片５Ａの位置関係である。
【００４６】
前記（ａ）については、図１８に示す通り、板かまぼこの「かまぼこ本体部分」、或いは先端部が弧状に形成された「シンプルな板体」に見える。付言すると、第２実施例の係合スライダー４Ａは、嵌合部を有する上下端部と凹所状の中央部との区別がなく、上端部２１Ａから下端部２１Ｂに至るまで同一の肉厚で形成されている。なお、第１実施例の足部２１ａに相当する後端部の上下部位には、前記上端部２１Ａの上面及び下端部２１Ｂの下面からそれぞれ突出する部分に上下一対の係合手段１７及びバネ端支持部２５をそれぞれ備えている事項は同じである。
【００４７】
また、前記（ｂ）については、係合スライダー４Ａがシンプルな板体に形成されていることから、上下の弧状嵌合部に嵌合する突状のレール部は存在しない。さらに、前記（ｃ）については、操作片５Ａの摘み部分５ａの一部又は全部（本実施例）が、取り付け基板２Ａの正面（表面）から突出し、その基端部５ｂが矩形開口（案内窓）１２Ａに案内される。なお、戸枠３１Ａの切欠部３３Ａは、内端面から外端面まで一連に形成され、ロック具１Ａは前記切欠部３３Ａにぴったりと嵌りあっている。
【００４８】
このように、引戸用ロック具１Ａの取り付け基板２Ａの構成をシンプルな構成にしても、第１実施例の所期の目的等を達成することができる。
【産業上の利用可能性】
【００４９】
本発明は、主に錠前や建具の業界で利用される。
【図面の簡単な説明】
【００５０】
図１乃至図１４は本発明の最良の実施例（第１実施例）を示す各説明図。図１５乃至図１９は本発明の最良の実施例（第２実施例）を示す各説明図。
【図１】図１の（ａ）、（ｂ）は、ロック具と受け部材をそれぞれ示す斜視図（要部の係合スライダーは仮想線で示している）。
【図２】受け部材の分解斜視図。
【図３】図２の３―３線拡大断面説明図。
【図４】正面視からの説明図（解錠状態）。
【図５】取り付け基体の一端面視からの説明図
【図６】要部（操作片）の説明図。
【図７】取り付け基体の正面から見た内部構造を示す説明図（解錠状態）。
【図８】取り付け基体の正面から見た内部構造を示す説明図（施錠状態）。
【図９】要部（固着具、操作片係合スライダー）の斜視からの説明図。
【図１０】引戸の閉鎖時、受け部材の凹所とロック具の係合スライダーが対向し、かつ、施錠状態となった場合を示す説明図。
【図１１】ロック具が解錠状態に於いて、引戸を閉めようとしている中途状態を示す説明図。
【図１２】引戸を閉め状態を示す説明図。
【図１３】解錠状態から施錠状態へと移行する中途状態を示す説明図。
【図１４】施錠状態を示す説明図。
【図１５】第２実施例の取り付け基体の斜視図（解錠状態）。
【図１６】取り付け基体の斜視図（施錠状態）。
【図１７】施錠状態における内部構造を示す概略断面説明図。
【図１８】ロック具の施錠状態を示す説明図。
【図１９】要部（固着具、操作片係合スライダー）の斜視からの説明図。
【符号の説明】
【００５１】
１、１Ａ…ロック具、２，２Ａ…取り付け基体、３…収納部分、４、４Ａ…係合スライダー、４ａ…係合スライダーの突出外端部、５、５Ａ…操作片、５ａ…摘み部分、５ｂ…基端部、６…固着具、７…メネジ、８…貫通孔、１０…ケース本体、１１…閉鎖板、１３…レール部、１４…嵌合孔、１５…戻しバネ、１６…被係合部、１７…係合手段、２０…板状中央部、２０ａ…正面壁、２１Ａ…上端部、２１Ｂ…下端部、２２…切欠部分、２４…嵌合部、３１、３１Ａ…戸枠、３１ａ…縦枠、３２…引戸、３３、３３Ａ…戸枠の切欠部、３４…戸先の切欠部、５０…受け部材、５１…係合凹所、５１ａ…第１凹所、５１ｂ…第２凹所、５２…仕切り片、５５…第１凹所の内壁面、５６…第２凹所の内壁面。
【図１】
2008150883.tif 000003
【図２】
2008150883.tif 000004
【図３】
2008150883.tif 000005
【図４】
2008150883.tif 000006
【図５】
2008150883.tif 000007
【図６】
2008150883.tif 000008
【図７】
2008150883.tif 000009
【図８】
2008150883.tif 000010
【図９】
2008150883.tif 000011
【図１０】
2008150883.tif 000012
【図１１】
2008150883.tif 000013
【図１２】
2008150883.tif 000014
【図１３】
2008150883.tif 000015
【図１４】
2008150883.tif 000016
【図１５】
2008150883.tif 000017
【図１６】
2008150883.tif 000018
【図１７】
2008150883.tif 000019
【図１８】
2008150883.tif 000020
【図１９】
2008150883.tif 000021